(57)【要約】【課題】断線の恐れがなく、かつ信頼性が高く、汎用のモータが採用できる安価なダンパー装置を提供する。【解決手段】駆動部５は、外郭を形成するケース６と、ケース６の蓋部となるカバー７と、正逆回転可能なモータ８と、から構成され、モータ８は、駆動コイル８ａと駆動コイル８ａの端末部分が巻きつけられている巻線用端子８ｃと、巻線用端子８ｃと電気的に接続されたリード線８ｅと、リード線８ｅの先端に取り付けられたコネクタ部１３を有しており、ケース６にコネクタ部１３を設置する凹部１４を設けるとともに、凹部１４に固定用穴部１５を設け、コネクタ部１３を固定用穴部１５に係合し固定するとともに、ケース６の外周面から突出させないよう構成とした。これにより、モータ８の形態に影響なくコネクタ部１３を容易、かつ、確実に固定することができる。【選択図】図５
2013122344.tif 000002
【特許請求の範囲】
【請求項１】
開口部を有するフレームと、前記開口部を開閉するバッフルと、前記バッフルを駆動する駆動部を具備し、前記駆動部を、外郭を形成するケースと、前記ケースの蓋部となるカバーと、正逆回転可能なモータを具備する構成としたダンパー装置において、前記モータは、駆動コイルと前記駆動コイルの端末部分が巻き付けられている複数本の巻線用端子と前記巻線用端と電気的に接続されたリード線と、前記リード線の先端に取り付けられたコネクタ部を有し、前記ケースに前記コネクタ部を設置する凹部を設けるとともに前記凹部に固定用穴部を設け、前記コネクタ部を、前記固定用穴部に係合し固定するとともに前記ケース外周面から突出させないよう構成したダンパー装置。
【請求項２】
前記コネクタ部を、ハウジングと複数の雄型端子を有し、前記ハウジングに固定用の二本の弾性を有するアーム部とフランジ部を設けた構成とし、前記ケースの底面に前記凹部を設け、前記凹部の底部に前記固定用穴部を配置し、前記コネクタ部を前記固定用穴部に挿入後、前記コネクタ部のアーム部とフランジ部にて凹部の底部を挟み込むことにより前記コネクタ部を固定するようにした請求項１に記載のダンパー装置。
【請求項３】
前記凹部の短幅寸法を、前記ハウジングの厚み寸法より僅かに大きくするとともに、前記凹部に前記コネクタ部の幅方向の傾きを防止するための二本のガイド壁を設けた請求項２に記載のダンパー装置。
【請求項４】
前記凹部を前記ケースの側壁近傍に配置し、前記側壁のうち前記凹部の一部をなす面に前記コネクタ部のハウジングの一部が露出するよう切欠き部を設けた請求項２または３に記載のダンパー装置。
【請求項５】
前記カバーに突起部を設け、前記突起部の高さを、前記ハウジングのフランジ部に当接するか僅かに当接しないようにした請求項１から４のいずれか一項に記載のダンパー装置。
【請求項６】
断熱空間で形成される物品貯蔵室と、圧縮機、凝縮器、減圧装置、蒸発器を、配管を介して環状に連結した冷凍サイクルと、前記蒸発器もしくは前記凝縮器による温調気流を前記物品貯蔵室内に送り込む送風手段を具備した貯蔵装置において、前記送風手段を、一端が前記凝縮器、もしくは前記蒸発器を配置した温調室に開口し、他端が前記物品貯蔵室に開口した送風回路と、前記温調室、もしくは、前記送風回路に設けられた送風機と、前記送風回路に設けられたダンパー装置と、を具備する構成とし、前記ダンパー装置を、請求項１から５のいずれか一項に記載のダンパー装置とした物品貯蔵装置。
【発明の詳細な説明】
【技術分野】
【０００１】
本発明は、例えば、冷蔵庫等における貯蔵室内部の冷風路に設けられ、風路を開閉して温度を調整する用途等に用いられるダンパー装置、およびそのダンパー装置を具備した物品貯蔵装置に関するものである。
【背景技術】
【０００２】
従来から冷蔵庫には、その庫内に設けられた複数の冷蔵室の温度を制御する手段として、冷却器から各冷蔵室へ通じる冷気の風路を、バッフルにて開閉し、各冷蔵室に流入する冷気量を制御するダンパー装置が採用されており、バッフルを動作させる駆動源は、モータを具備した構成となっている。
【０００３】
そして、バッフルを動作させるモータと冷蔵庫本体との電気的な接続は、ダンパー装置に設けられたコネクタ部にて行われている（例えば、特許文献１参照）。
【０００４】
図９から図１１は、上記特許文献１に記載された従来のダンパー装置を示すもので、図９は、同ダンパー装置の駆動部の内部構成を示す平面図、図１０は、同ダンパー装置の駆動部の断面図、図１１は、同ダンパー装置のモータ側コネクタの部分拡大斜視図である。
【０００５】
図９から図１１に示すように、ダンパー装置１００の駆動部１０１は、二枚のバッフル１０２ａ、１０２ｂを駆動するもので、一面が開口したケース１０３と、このケース１０３内に固定配置された正逆回転可能なモータ１０４と、そのモータ１０４の回転を減速して伝達する減速歯車列１０５と、モータ１０４の回転を、駆動軸１０６ａ、１０６ｂを介してバッフル１０２ａ、１０２ｂへ伝達するための駆動車１０６を主体に構成されている。そして、ケース１０３の開口部分には、蓋状部材１０７が被せられている。
【０００６】
ここで、モータ１０４においては、モータケース１０４ａの内部に、巻線１０４ｂが巻回された一対のモータボビン１０４ｃが装着されるとともに、モータボビン１０４ｃの内側には、回転軸１０４ｄと一体的に回転するロータ１０４ｅが配置されている。
【０００７】
また、モータボビン１０４ｃに装着された巻線１０４ｂの端末部分は、モータケース１０４ａの外周面から半径方向に向かって突出するように設けられた複数本の巻線用接続端子１０４ｆの根元部分に巻回されるようにして接続されており、それら複数本の巻線用接続端子１０４ｆは、後述する直線的に接続されたモータ側コネクタ１０８に、モータケース１０４ａに対して嵌着されるようにして取り付けられている。さらに、このモータ側コネクタ１０８は、図示を省略した冷蔵庫本体から延出している配線の先端部分に設けられた冷蔵庫側コネクタとの係合により冷蔵庫側と接続される。
【０００８】
さらに、モータ側コネクタ１０８は、平面略矩形状に形成された樹脂製のホルダ１０９内に、複数個の導電性材質からなる接続部材１１０を列状に備えており、それらの各接続部材１１０は、インサート成形等によってホルダ１０９内に埋設されている。この樹脂製ホルダ１０９に設けられた係合脚部１０９ａは、モータケース１０４ａの一部を切り欠くようにして形成された係止部１０４ｇの縁部に嵌合されている。
【０００９】
このようにしてモータケース１０４ａの一部を構成するように取り付けられたモータ側コネクタ１０８の樹脂製ホルダ１０９は、上述したダンパー装置１００の駆動部１０１を構成しているケース１０３の側壁面に形成された凹部１０３ａに対して、モータ１０４の軸方向に沿って挿入することにより装着されている。
【００１０】
また、モータ側コネクタ１０８に設けられた接続部材１１０は、特に図１１に示されるように一端側には、巻線用接続端子１０４ｆが挿入嵌合されるモータ側係合部１１０ａを設けており、他端側には、上述の外部接続装置側コネクタが嵌合される外部側係合部１１０ｂを設けている。
【先行技術文献】
【特許文献】
【００１１】
【特許文献１】特開２００２−３５９０３４号公報
【発明の概要】
【発明が解決しようとする課題】
【００１２】
しかしながら、前記従来の構成では、モータ１０４にモータ側コネクタ１０８を取り付ける際に、接続部材１１０のモータ側係合部１１０ａに巻線用接続端子１０４ｆを真直ぐに挿入することが困難なため、巻線用接続端子１０４ｆを変形させ、巻線用接続端子１０４ｆの根元部分に巻回されるように接続されている巻線１０４ｂが引っ張られ、断線する恐れがあるという課題を有していた。
【００１３】
また、モータ１０４およびモータ側コネクタ１０８はダンパー装置専用のものとなり、汎用性がなく高価なものとなってしまう課題を有していた。
【００１４】
本発明は、前記従来の課題を解決するもので、巻線の断線の恐れをなくして信頼性を高くし、また、汎用性のモータの採用を可能にして、安価に構成できるダンパー装置を提供することを目的とする。
【００１５】
さらに、かかるダンパー装置の動作を確実にして、信頼性を高めた物品貯蔵装置を提供することを目的とするものである。
【課題を解決するための手段】
【００１６】
前記従来の課題を解決するために、本発明のダンパー装置は、モータに接続されたリード線の先端に取り付けられたコネクタ部を、モータのケースの凹部設けた固定用穴部に係合し固定するとともに、ケース外周面から突出させない構成としたものである。
【００１７】
かかる構成とすることにより、モータ側コネクタとモータを接続する際に、モータの巻線が引っ張られることがなく、その結果、リード線等の断線が防止できる。また、モータおよびモータ側コネクタは、汎用のものを採用することができ、さらに、モータ側コネクタをケースに配置することにより、リード線の長さを統一し、接続部を標準化することもできるものである。
【００１８】
また、電気的接続部における物品貯蔵装置側との接続を確実にし、動作の信頼性を高めることができるものである。
【００１９】
さらに、モータ側コネクタはケースの外周から突出しないため、ケース表面が凸凹せず、物品貯蔵庫との取り付け部のシールが容易であり、冷気の流通（流量）制御が安定した温度制御の信頼性の高いものとすることができ、取り付けスペースも小さくすることができる。
【発明の効果】
【００２０】
本発明のダンパー装置は、モータの巻線の断線が発生し難いリード線等の接続作業が可能となり、信頼性の高いダンパー装置を得ることができる。また、汎用のモータおよびコ
ネクタを採用することができ、金型等のそのためのみの投資を不要にし、安価に構成することができるとともに、電気的接続部の標準化をはかることにより、作業性を向上することができる。
【００２１】
さらに、かかるダンパー装置を用いた物品貯蔵装置においても、ダンパー装置による温度調整制御において、信頼性を高めることができるものである。
【図面の簡単な説明】
【００２２】
【図１】本発明の実施の形態１におけるダンパー装置の正面図
【図２】同ダンパー装置における一部断面を含む側面図
【図３】同ダンパー装置の背面図
【図４】同ダンパー装置を構成する駆動部の底面図
【図５】図４のＩ−Ｉ線による同ダンパー装置を構成する駆動部の断面図
【図６】同ダンパー装置を構成する駆動の内部を示す平面図
【図７】同駆動部に設けられたモータの断面図
【図８】本発明の実施の形態２における物品貯蔵装置の構成を示す模式図
【図９】従来例を示すダンパー装置の駆動部の内部構成を示す平面図
【図１０】同ダンパー装置の駆動部の断面図
【図１１】同ダンパー装置のモータ側コネクタの部分拡大斜視図
【発明を実施するための形態】
【００２３】
請求項１に記載の発明は、開口部を有するフレームと、前記開口部を開閉するバッフルと、前記バッフルを駆動する駆動部を具備し、前記駆動部を、外郭を形成するケースと、前記ケースの蓋部となるカバーと、正逆回転可能なモータを具備する構成としたダンパー装置において、前記モータは、駆動コイルと前記駆動コイルの端末部分が巻き付けられている複数本の巻線用端子と前記巻線用端と電気的に接続されたリード線と、前記リード線の先端に取り付けられたコネクタ部を有し、前記ケースに前記コネクタ部を設置する凹部を設けるとともに前記凹部に固定用穴部を設け、前記コネクタ部を、前記固定用穴部に係合し固定するとともに前記ケース外周面から突出させないよう構成したものである。
【００２４】
かかる構成とすることにより、リード線の先端にコネクタ部を取り付けるときに、駆動コイルを引っ張ることがなく、モータ巻き線等の断線の恐れがない信頼性の高い接続構造とすることができる。また、モータおよびコネクタ部は特別な構造とする必要がなく、汎用のものを採用することができるため、そのための金型投資等も不要となる。
【００２５】
さらに、コネクタ部を、ケースと係合させ固定しているため、前記リード線の長さ、および前記コネクタ部の仕様を統一することができる。その結果、ダンパー装置を搭載する本体機器に応じてリード線の長さを設定する必要がなく、電気的接続部を統一して安価な構成とすることができる。
【００２６】
また、ダンパー装置を本体機器に組み込む際、ケースおよびフレームの本体機器との接触部を冷気が漏れないようシールする必要があるが、コネクタ部をケース外周面から突出させないようにしているのでケース外周面に凹凸が無く、本体機器とのシールが容易であり、冷気の流通（流量）制御が安定した温度制御の信頼性の高いものとすることができ、取り付けスペースも小さくすることができる。
【００２７】
請求項２に記載の発明は、請求項１に記載の発明において、前記コネクタ部を、ハウジングと複数の雄型端子を有し、前記ハウジングに固定用の二本の弾性を有するアーム部とフランジ部を設けた構成とし、前記ケースの底面に前記凹部を設け、前記凹部の底部に前記固定用穴部を配置し、前記コネクタ部を前記固定用穴部に挿入後、前記コネクタ部のア
ーム部とフランジ部にて凹部の底部を挟み込むことにより前記コネクタ部を固定するようにしたものである。
【００２８】
これにより、前記コネクタ部を前記ケースへ確実に固定することができる。したがって、前記本体機器側との接続時に、前記コネクタ部が動いて不十分な接続状態となることがなく、信頼性の高いものとすることができる。
【００２９】
さらに、ケース底面の凹部にコネクタ部を設置しているので、ケース外周面に凹凸が無く、本体機器とのシールが容易であり、冷気の流通（流量）制御が安定した温度制御の信頼性の高いものとすることができ、取り付けスペースも小さくすることができる。
【００３０】
請求項３に記載の発明は、請求項２に記載の発明において、前記凹部を少なくとも一対の平行面を有する略矩形とし、前記ハウジングのアーム部を有する面が前記並行面と垂直方向となるようコネクタ部を配置し、前記平行面の距離を、前記ハウジングのアーム部を有する面の幅寸法と同じか僅かに大きくするとともに、前記凹部の平行面の片面に前記ハウジングのガイド壁を二箇所設け、前記ガイド壁と前記ハウジングのアーム部を有する面が接するかわずかに隙間を有するようにしたものである。
【００３１】
これにより、前記コネクタ部の前記ケースへの組込み時にガタツキの発生が無く、確実に固定することができ、前記本体機器側との接続時に、前記コネクタ部が動いて不十分な接続状態となることがなく、信頼性の高いものとすることができる。
【００３２】
請求項４に記載の発明は、請求項２または３に記載の発明において、前記凹部を前記ケースの側壁近傍に配置し、前記凹部の前記ケースの側壁近傍の面に前記コネクタ部のハウジングの一部が露出するよう切欠き部を設けたものである。
【００３３】
これにより、前記本体機器側のコネクタの着脱作業を容易に行うことができ、前記本体機器との接続が確実で、信頼性の高いものとすることができる。
【００３４】
請求項５に記載の発明は、請求項１から４の発明において、前記カバーに突起部を設け、前記突起部の高さを、前記ハウジングのフランジ部に当接するか僅かに当接しないようにしたものである。
【００３５】
これにより、前記コネクタ部の前記ケースへの組込みが不十分な時に、前記突起部により前記ハウジングのフランジ部を押し込み、前記コネクタ部を確実に設置でき、信頼性の高い接続構成を得ることができる。
【００３６】
請求項６に記載の発明は、断熱空間で形成される物品貯蔵室と、圧縮機、凝縮器、減圧装置、蒸発器を、配管を介して環状に連結した冷凍サイクルと、前記蒸発器もしくは前記凝縮器による温調気流を前記物品貯蔵室内に送り込む送風手段を具備した貯蔵装置において、前記送風手段を、一端が前記凝縮器、もしくは前記蒸発器を配置した温調室に開口し、他端が前記物品貯蔵室に開口した送風回路と、前記温調室、もしくは、前記送風回路に設けられた送風機と、前記送風回路に設けられたダンパー装置と、を具備する構成とし、前記ダンパー装置を、請求項１から５のいずれか一項に記載のダンパー装置とした物品貯蔵装置である。
【００３７】
かかる構成とすることにより、電気的接続部における接続を確実にし、信頼性の高いダンパー装置の動作が期待でき、物品貯蔵装置の温度調整のための気流制御を安定させ、信頼性を高めた物品貯蔵装置を得ることができる。
【００３８】
以下、本発明の実施の形態について図面を参照しながら説明する。なお、この実施の形態によってこの発明が限定されるものではない。
【００３９】
（実施の形態１）
図１は、本発明の実施の形態１におけるダンパー装置の正面図である。図２は、同ダンパー装置における一部断面を含む側面図である。図３は、同ダンパー装置の背面図である。図４は、同ダンパー装置を構成する駆動部の底面図である。図５は、図４のＩ−Ｉ線による同ダンパー装置を構成する駆動部の断面図である。図６は、同ダンパー装置を構成する駆動の内部を示す平面図である。図７は、同駆動部に設けられたモータの断面図である。
【００４０】
図１から図７において、ダンパー装置１は、空気等の流体が通過するための開口部２を有するフレーム３と、長辺の一つを軸にして開口部２を開閉するバッフル４と、バッフル４を回転駆動する駆動部５を具備している。
【００４１】
また、駆動部５は、一面が開口し、かつ外郭を形成するケース６と、ケース６の開口を塞ぐ蓋部となるカバー７と、正逆回転可能で内部に減速機構（図示せず）等を具備するギヤードタイプのモータ８と、モータ８の回転を減速して伝達する減速歯車列９と、減速歯車列９により減速されたモータ８の回転を、駆動軸１０ａを介してバッフル４に伝える駆動車１０を具備した構成である。
【００４２】
ここで、カバー７は、フレーム３の側部に一体に設けられた構成としているが、フレーム３とは別々の構成とすることもできる。
【００４３】
また、モータ８は、内部に駆動コイル（巻線）８ａが巻回された一対のモータボビン８ｂと、モータボビン８ｂに圧入され、駆動コイル８ａの端末部分が巻き付けられるようにして接続されている複数本の巻線用端子８ｃと、巻線用端子８ｃを挿入し、半田付け固定して電気的に接続された基板８ｄと、一端が基板８ｄと半田付けにて接続された複数本のリード線８ｅを具備する構成となっている。そして、リード線８ｅの先端には、複数本の雄型端子１１と、この雄型端子１１を保持するハウジング１２からなるコネクタ部１３が取り付けられている。このコネクタ部１３は、冷蔵庫本体側から出ている冷蔵庫側コネクタ（図示せず）と電気的に接続されるように構成されている。
【００４４】
そして、ケース６は、底面６ａに凹部１４を有しており、凹部１４の底部１４ａには、ハウジング１２を挿入する固定用穴部１５が設けられ、ハウジング１２は、側面の対向する二面に、弾性を有する二本のアーム部１２ａと、側面より突出したフランジ部１２ｂを有しており、アーム部１２ａの先端は階段状の段差部１３ｃを有し、ハウジング１２のアーム部１２ａとフランジ部１２ｂにより、凹部１４の底部１４ａを挟み込み係合させることにより、コネクタ部１３を固定するよう構成されている。
【００４５】
ここで、凹部１４の深さは、コネクタ部１３がケース６の底面６ａから突出しないよう設定されており、さらに冷蔵庫側コネクタ（図示せず）を接続した状態においても冷蔵庫側コネクタが突出しないように設定されている。
【００４６】
尚、ハウジング１２の形状は一般的なものであり、汎用品が使用可能である。
【００４７】
さらに、凹部１４は少なくとも一対の平行面１４ｃを有する略矩形であり、ハウジング１２のアーム部を有する面が平行面１４ｃと垂直方向となるようコネクタ部１３を配置し、平行面１４ｃの距離Ｘを、ハウジング１２のアーム部１２ａを有する面の幅寸法Ｙと同じか僅かに大きくなるよう設定し、凹部１４の平行面１４ｃの片面にハウジング１２のガ
イド壁１４ｂを二箇所設け、ガイド壁１４ｂとハウジング１２のアーム部を有する面が接するかわずかに隙間を有するようにし、コネクタ部１３の傾きやガタツキが発生しないよう構成されている。
【００４８】
また、凹部１４はケース６の側壁６ｂの近傍に設けられ、凹部１４のケース６の側壁６ｂ近傍の面にコネクタ部１３のハウジング１２の一部が側壁６ｂから見て露出するよう切欠き部１４ｄが設けられており、冷蔵庫側コネクタ（図示せず）の着脱時に、作業者の指がコネクタ部に届き、容易に着脱できるよう構成されている。また、コネクタの接続状態が目視で確認可能である。
【００４９】
そして、カバー７に二個のＬ字状の突起部７ａを設け、突起部７ａはハウジング１２のフランジ部１２ｂ上に配置し、さらにフランジ部１２ｂに当接するか僅かに当接しない高さとし、コネクタ部１３のケース６への組込みが不十分な時に、突起部７ａによりハウジング１２のフランジ部１２ｂを押し込み、コネクタ部１３を確実に設置できるよう構成されている。
【００５０】
以上のように構成されたダンパー装置１の動作について説明する。
【００５１】
バッフル４は、上述の如く駆動部５の動力を受け、駆動車１０、および駆動軸１０ａの回転によって所定角度の範囲で往復回動し、開口部２を全閉状態から全開状態、全開状態から全閉状態に制御する動作を行う。また必要に応じてその途中でバッフル４の回動を停止し、流通する空気の量を制御することもできる。
【００５２】
かかる動作は、周知の動作内容であるので、詳細な説明を省略する。
【００５３】
したがって、上記構成からなるダンパー装置１は、バッフル４の回転動作により、開口部２を開閉することができるため、例えば冷蔵庫等の冷気通路内、あるいはダクト内に配置されることにより、冷気の流通（流量）を制御し、貯蔵室内の温度を略一定に維持することができる。
【００５４】
また、ダンパー装置１を構成するモータ８は、駆動コイル８ａと、駆動コイル８ａの端末部分が巻き付けられている複数本の巻線用端子８ｃと、巻線用端子８ｃと電気的に接続された複数本のリード線８ｅと、リード線８ｅの先端に取り付けられたコネクタ部１３を有しており、ケース６にコネクタ部１３を設置する凹部１４を設けるとともに凹部１４に固定用穴部１５を設け、コネクタ部１３を、固定用穴部１５に係合し固定するとともにケース６の外周面から突出させないよう構成としたもので、コネクタ部１３を取り付ける際にモータ８に外力が加わる恐れがない。
【００５５】
したがって、コネクタ部１３のケース６への固定に際し、モータ８の巻線用端子８ｃが変形し、駆動コイル８ａを引っ張ることが伴う構成でないため、断線の恐れのない信頼性の高いものとすることができる。
【００５６】
また、モータ８およびコネクタ部１３は、特別な構造とする必要がなく、汎用のものを採用できるため、これらの金型投資が不要となる。
【００５７】
そして、モータ８側のコネクタ部１３を、ケース６と係合させ固定しているので、リード線８ｅの長さ、およびコネクタ部１３の仕様を統一することができる。その結果、リード線８ｅおよびコネクタ部１３をケース６から引き出した構成の場合は、ダンパー装置１を搭載する本体機器に応じてリード線８ｅの長さを設定したり、コネクタ部１３の構成を変更したりする必要があったが、本実施の形態１の如く、コネクタ部１３をケース６に固
定する構成とすることにより、その必要もなくなり、電気的接続部を統一して安価な構成とすることができる。
【００５８】
さらに、ダンパー装置１を冷蔵庫等の本体機器に組み込む際、ケース６およびフレーム３の本体機器との接触部を冷気が漏れないようシールする必要があるが、コネクタ部１３をケース６の外周面から突出させないよう構成しているので、ケース６外周面に凹凸が無く、本体機器とのシールが容易であり、冷気の流通（流量）制御が安定した温度制御の信頼性の高いものとすることができ、取り付けスペースも小さくすることができる。
【００５９】
また、コネクタ部１３を、ハウジング１２と複数の雄型端子１１を有し、ハウジング１２に固定用の二本の弾性を有するアーム部１２ａとフランジ部１２ｂを設けた構成とし、ケース６の底面６ａに凹部１４を設け、凹部１４の底部１４ａに固定用穴部１５を配置し、コネクタ部１３を固定用穴部１５に挿入後、ハウジング１２のアーム部１２ａとフランジ部１２ｂにて凹部１４の底部１４ａを挟み込むことによりコネクタ部１３を固定するようにしたもので、コネクタ部をケース６に確実に固定することができ、冷蔵庫等の本体機器との接続時に、コネクタ部１３が動いて不十分な接続状態となることがなく、信頼性の高いものとすることができる。
【００６０】
さらに、ケース６の底面６ａに設けた凹部にコネクタを配置しているので、ケース６外周面に凹凸が無く、本体機器とのシールが容易であり、冷気の流通（流量）制御が安定した温度制御の信頼性の高いものとすることができ、取り付けスペースも小さくすることができる。
【００６１】
また、凹部１４を少なくとも一対の平行面１４ｃを有する略矩形とし、ハウジング１２のアーム部１２ａを有する面が平行面１４ｃと垂直方向となるようコネクタ部１３を配置し、平行面１４ｃの距離Ｘを、ハウジング１２のアーム部１２ａを有する面の幅寸法Ｙと同じか僅かに大きくするとともに、凹部１４の平行面１４ｃの片面にハウジング１２のガイド壁１４ｂを２箇所設け、ガイド壁１４ｂとハウジング１２のアーム部を有する面が接するかわずかに隙間を有するようにしたもので、コネクタ部１３のケース６への組込み時にガタツキの発生が無く、確実に固定することができ、冷蔵庫等の本体機器との接続時に、コネクタ部１３が動いて不十分な接続状態となる恐れが無く、信頼性の高いものとすることができる。
【００６２】
また、凹部１４をケース６の側壁６ｂ近傍に配置し、凹部１４のケース６の側壁６ｂ近傍の面に、コネクタ部１３のハウジング１２の一部が露出するよう切欠き部１４ｄを設けたもので、本体機器側のコネクタの着脱作業を容易に行うことができ、本体機器との接続が確実で、信頼性の高いものとすることができる。
【００６３】
また、カバー７に突起部７ａを設け、突起部７ａの高さを、ハウジング１２のフランジ部１２ｂに当接するか僅かに当接しないようにしたものであり、コネクタ部１３のケース６への組込みが不十分な時に、突起部７ａによりハウジング１２のフランジ部１２ｂを押し込み、コネクタ部１３を確実に設置でき、信頼性の高い接続構成を得ることができる。
【００６４】
以上のように、本実施の形態１におけるダンパー装置１は、組立て時等においてモータ８の駆動コイル８ａの断線の恐れがなく、冷蔵庫等の本体機器側のコネクタとの接続が確実であり、高い信頼性を得ることができる。また、モータ８およびコネクタ部１３は、汎用のものを採用することができるため、そのための金型投資等が不要であり、安価に作成することができ、さらに、ダンパー装置１と一体化した電気的接続部の構成を統一することができ、組立て性に優れた構成を得ることができる。
【００６５】
（実施の形態２）
図８は、本発明の実施の形態２における物品貯蔵装置の構成を示す模式図である。なお、ここでは、ダンパー装置を実施の形態１のダンパー装置とし、実施の形態１の構成要件と同様の構成要件には同一の符号を付して説明する。
【００６６】
図８において、貯蔵装置本体５１は、内部に、前面が開口し、断熱材によって囲われた第一貯蔵室５２ａと第二貯蔵室５２ｂを具備し、前面に、第一貯蔵室５２ａおよび第二貯蔵室５２ｂに対応して前記開口を開閉する断熱性の第一扉５３ａおよび第二扉５３ｂを具備している。
【００６７】
また、第一貯蔵室５２ａと第二貯蔵室５２ｂは、連絡通路５４ａ、５４ｂを介して連通している。
【００６８】
さらに、貯蔵装置本体５１の内部には、圧縮機５５、凝縮器５６、減圧装置５７、蒸発器５８を配管により環状に連結した冷凍サイクルが設けられており、蒸発器５８は、第一貯蔵室５２ａの背面に形成した冷却室５９内に配置されている。この冷却室５９は、本発明の温調室と送風回路を構成している。また、冷却室５９内には、吸込み口６２から吸込まれ、蒸発器５８で冷却された冷気を、矢印ａで示す如く吹出し口６１から吐出し、積極的に冷気を第一貯蔵室５２ａ内で循環させる送風機６０が設けられている。
【００６９】
さらに、冷却室５９の吹出し口６１には、第一貯蔵室５２ａ内への冷気の供給を制御するダンパー装置１が設けられている。このダンパー装置１は、少なくとも第一貯蔵室５２ａ内の温度をセンサー６３により検出し、制御装置６４からの信号に基づいて該吹出し口６１の開閉、もしくは開放度合いの調整を行うことにより、送風機６０による冷気の供給、もしくは供給量を制御し、第一貯蔵室５２ａ内の温度を制御する。そして、第二貯蔵室５２ｂは、矢印ｂで示す如く連絡通路５４ａ、５４ｂを介して流入した第一貯蔵室５２ａの一部の冷気の循環によって冷却される。
【００７０】
なお、ダンパー装置１の開閉制御を行う制御装置６４については、周知の構成でよく、また本発明の要旨と直接関係しないため、詳細な説明は省略する。
【００７１】
さらに、ダンパー装置１は、第一貯蔵室５２ａのみに限るものではなく、第二貯蔵室５２ｂにも対応して設けることができ、また、制御装置６４による制御も、第一貯蔵室５２ａおよび第二貯蔵室５２ｂそれぞれに対応した周知の範囲で制御することもできる。
【００７２】
したがって、制御装置６４を構成する制御基板（図示せず）とダンパー装置１の電気的な接続構成に、実施の形態１の構成からなるコネクタ部１３を採用することにより、作業が容易で誤結線が生じ難く、信頼性が高い接続構成が得られ、冷蔵庫等の物品貯蔵装置において信頼性の高い温度制御機能を実現することができる。
【００７３】
なお、本実施の形態２の物品貯蔵装置においては、冷却気流を第一貯蔵室５２ａ、および第二貯蔵室５２ｂに供給する構成としたが、温調室（冷却室５９）に凝縮器５６を配置し、温風気流を第一貯蔵室５２ａ、および第二貯蔵室５２ｂに供給する構成とすることもでき、また温調室（冷却室５９）に凝縮器５６と蒸発器５８を配置し、除湿された空気を第一貯蔵室５２ａ、および第二貯蔵室５２ｂに供給する構成とし、温風、あるいは除湿された乾燥空気の供給制御を行う機能を備えた物品貯蔵装置とすることもできる。
【産業上の利用可能性】
【００７４】
以上のように、本発明にかかるダンパー装置は、冷蔵庫の気流制御等の如く、流体通路を開閉し、流体の供給制御を行う用途に広く適用できる。
【符号の説明】
【００７５】
１  ダンパー装置
２  開口部
３  フレーム
４  バッフル
５  駆動部
６  ケース
６ａ  底面
６ｂ  側壁
７  カバー
７ａ  突起部
８  モータ
８ａ  駆動コイル
８ｂ  モータボビン
８ｃ  巻線用端子
８ｅ  リード線
１１  雄型端子
１２  ハウジング
１２ａ  アーム部
１２ｂ  フランジ部
１３  コネクタ部
１４  凹部
１４ａ  底部
１４ｂ  ガイド壁
１４ｃ  平行面
１４ｄ  切欠き部
１５  固定用穴部
５１  貯蔵装置本体
５２ａ  第一貯蔵室
５２ｂ  第二貯蔵室
５５  圧縮機
５６  凝縮器
５７  減圧装置
５８  蒸発器
５９  冷却室（温調室、送風回路）
６０  送風機
６１  吹出し口
６２  吸込み口
【図３】
2013122344.tif 000003
【図１】
2013122344.tif 000004
【図２】
2013122344.tif 000005
【図４】
2013122344.tif 000006
【図５】
2013122344.tif 000007
【図６】
2013122344.tif 000008
【図７】
2013122344.tif 000009
【図８】
2013122344.tif 000010
【図９】
2013122344.tif 000011
【図１０】
2013122344.tif 000012
【図１１】
2013122344.tif 000013